(57)【要約】【課題】一種の快速固定の支持稈を提供する。【解決手段】外部ブッシングは、一端に開口部を有する。内部ブッシングの一端は、該外部ブッシングの開口部に装入する。該内部ブッシングは該外部ブッシングに対して軸方向移動関係を形成する。快速締付装置は、該内部ブッシングの外縁部に取り付け、かつ該快速締付装置は該外部ブッシングに連結し、該快速締付装置は固定位置と緩め位置において移動可能とし、該快速締付装置は選択により、該外部ブッシングと内部ブッシングとの相関位置を制限できる。調整リングは、該外部ブッシング開口部の外縁部に取り付け、該調整リングにより該快速締付装置を連動し、該快速締付装置が固定状態のとき、該調整リングは該内部ブッシングを連動して、該外部ブッシングに対して移動できる。【選択図】図２
0003149714.tif 000002
【実用新案登録請求の範囲】
【請求項１】
快速固定の支持稈において、
外部ブッシングを有し、その一端に開口部を有し、
内部ブッシングを有し、その一端は該外部ブッシングの開口部に装入し、該内部ブッシングは該外部ブッシング一と、軸方向移動の関係を形成し、
快速締付装置は、該内部ブッシングの外縁部に設け、かつ該快速締付装置は該外部ブッシングの外縁部に接続し、該快速締付装置は固定位置と緩め位置の間にて移動可能であり、該快速締付装置は固定位置にあるとき、該内部ブッシングと該外部ブッシングの相関位置を固定し、緩め位置にあるとき、該快速締付装置は該内部ブッシングと該外部ブッシングを緩め、
調整リングは、該外部ブッシング開口部の外縁部に設け、該調整リングは快速締付装置を連動して同期移動し、該快速締付装置が固定位置にあるときは、該調整リングは該快速締付装置を連動して、外部ブッシングに対して移動することを特徴とする、快速固定の支持稈。
【請求項２】
連結装置を有し、該連結装置は締付リングを含み、該締付リングは該内部ブッシングに装入し、該締付リングは該外部ブッシングの反対端に収容溝を設け、該快速締付装置は該収容溝に取り付け、該快速締付装置は選択にて該締付リングを締め付けることにより、締付リングは該内部ブッシングを締め付け、該連結装置はさらに台座を有し、該台座の一端に結合端を有し、該結合端は該外部ブッシングの開口部に結合し、該台座は該結合端の反対端の外縁部に雄ねじ山部を設け、該調節リングの内面に該雄ねじ山部とねじ込み接続の雌ねじ山部を有し、該締付リングの外縁部に固定溝を設け、該調節リングの内縁部に突起部を設け、該突起部を該固定溝に嵌め込むことにより、該調整リングは該締付リングを連動し、該台座は該結合端の反対端内周面の軸方向に案内溝を設け、該締付リングは該快速締付装置反対端の軸方向に嵌めこみ部を設け、該嵌めこみ部は該案内溝に設け、該締付リングの固定溝は該嵌め込み部と該収容溝との間に設け、該締付リングの一部を切断して縦方向の切欠きを形成し、該快速締付装置は該締付リングを締め付けるとき、該締付リングは該締付リングを連動移動し、該快速締付装置は該締付リングを緩めるとき、該調整リングは該締付リングを連動せず、該外部ブッシングは第１端と第２端を有し、該外部ブッシングの第１端に開口部を形成し、該外部ブッシングの第２端に支持部を形成し、該内部ブッシングは第１端と第２端を有し、該内部ブッシングの第１端は、該外部ブッシングを通し、該内部ブッシングの第２端は支持部を形成することを特徴とする、請求項１記載の快速固定の支持稈。
【請求項３】
連結装置を有し、該連結装置は締付リングを含み、該締付リングは該内部ブッシングに装入し、該締付リングは該外部ブッシングの反対端に収容溝を設け、該快速締付装置は該収容溝に取り付け、該快速締付装置は選択にて該締付リングを締め付けることにより、該締付リングは該内部ブッシングを締め付け、該外部ブッシングは開口部の外縁部に雄ねじ山部を設け、該調整リングの内周面に該雄ねじ山部とねじ込み接続の雌ねじ山部を設け、該締付リングは固定溝を有し、該調整リングの内周面に突起部を設け、該突起部は該固定溝に嵌めこみ、該外部ブッシングの内周面に案内溝を設け、該締付リングは該快速締付装置反対端の軸方向に嵌め込み部を設け、該嵌め込み部は該案内溝に設け、該締付リングの固定溝は、該嵌め込み部と該収容溝との間に設け、該締付リングの一部を切断して縦方向の切欠きを形成し、該快速締付装置により該締付リングを締め付けるとき、該調整リングは該締付リングを連動でき、該快速締付装置により該締付リングを緩めると、該調整リングは該調整リングを連動せず、該外部ブッシングは第１端と第２端を有し、該外部ブッシングの第１端は該開口部を形成し、該外部ブッシングの第２端は支持部を形成し、該内部ブッシングは第１端と第２端を有し、該内部ブッシングの第１端は該外部ブッシングを通し、該内部ブッシングの第２端は支持部を形成することを特徴とする、請求項１記載の快速固定の支持稈。
【考案の詳細な説明】
【技術分野】
【０００１】
本発明は支持稈に係り、特に一種外部ブッシングと内部ブッシングを相関位置に固定することができ、かつ無段階により相関位置を調節できる支持稈に関する。
【背景技術】
【０００２】
米国特許第６２４７８８２号に開示されている貨物支え装置は、外部ブッシングを有し、内部ブッシングは外部ブッシングに装入することにふさわしく、内部ブッシング外縁部の軸方向には複数の留め孔を設ける。固定台を外部ブッシングに設ける。弾性レバーは、固定台に弾性付きに枢設する。歯止めばね板は固定台に枢設され、弾性レバーの圧迫を受けて、内部ブッシングの留め孔に留められる。安全突き出しバーは、摺動により横方向から固定台を通しておき、該安全突き出しバーは、大小径を有し、選択により弾性レバーの枢動を制限できる。
【０００３】
先行技術の構造は、内部ブッシング上に複数の留め孔をあけることが必要なほか、弾性レバーを操作し外部ブッシングと内部ブッシングをそれぞれ異なる伸縮位置に固定する必要がある。内部ブッシングに多くの孔を設けることは強度を低下させる。よって、重いものをぶら下げるときは、留め孔は固定装置の歯止めにより、孔が大きくなり安定して支えることができないなどの欠点が残る。さらに、固定装置において長さを改変するときの位置決めは、一定間隔の留め孔に照準しないと、外部ブッシングと内部ブッシングを相関位置に取り付けられないことから、便利といえない。それに伴い、生産による内部ブッシングの穴あけはコストが高いわりに、加工が難しく、留め孔の位置照準が困難であり、弾性レバーを一部の留め孔に留めることができない。それだけでなく、段付きの調節機構の内・外ブッシング両端の支え足部は、天面と底面に若干の隙間を残し、天面と底面に届くために、両端の支え足部はさらなる調節が必要であった。前記した課題を至急に改良する必要がある。
【先行技術文献】
【特許文献】
【０００４】
【特許文献１】米国特許第６２４７８８２号公報
【考案の概要】
【考案が解決しようとする課題】
【０００５】
本考案は前記した技術課題に対して、一種の快速固定の支持稈を提供する。即ち、本考案の主な目的は、内部ブッシング上に間隔を置いて孔を調節する必要がなく、無段階にて外部ブッシングと内部ブッシングの相関位置を調節できるため、構造強度が向上される、一種の快速固定の支持稈を提供することにある。
【０００６】
また、本考案の次の目的は、該快速締付装置は外部ブッシングと内部ブッシングの相関位置制限を素早く固定および解除でき、該調整リングは快速締付装置により外部ブッシングと内部ブッシングを固定するときに、ねじ山構造により外部ブッシングと内部ブッシングとの相関位置を調節できる、一種の快速固定の支持稈を提供することにある。
【課題を解決するための手段】
【０００７】
上記課題を解決するために、本考案は、快速固定の支持稈において、外部ブッシングを有し、その一端に開口部を有し、内部ブッシングを有し、その一端は該外部ブッシングの開口部に装入し、該内部ブッシングは該外部ブッシング一と、軸方向移動の関係を形成し、快速締付装置は、該内部ブッシングの外縁部に設け、かつ該快速締付装置は該外部ブッシングの外縁部に接続し、該快速締付装置は固定位置と緩め位置の間にて移動可能であり、該快速締付装置は固定位置にあるとき、該内部ブッシングと該外部ブッシングの相関位置を固定し、緩め位置にあるとき、該快速締付装置は該内部ブッシングと該外部ブッシングを緩め、調整リングは、該外部ブッシング開口部の外縁部に設け、該調整リングは快速締付装置を連動して同期移動し、該快速締付装置が固定位置にあるときは、該調整リングは該快速締付装置を連動して、外部ブッシングに対して移動することを特徴とする。
【考案の効果】
【０００８】
本考案は以下の長所を有する。
＜イ＞本考案による快速固定の支持稈は、無段階により外部ブッシングと内部ブッシングとの相関位置を調節できるため、内部ブッシング上に間隔を置いて穴あけの必要がなく、構造強度を向上し、使用寿命を延長できる。
【０００９】
＜ロ＞本考案による快速固定の支持稈の快速締付装置は、外部ブッシングと内部ブッシングの相関位置制限を素早く固定および解除できる。これに加えて、調整リングは快速締付装置により外部ブッシングと内部ブッシングを固定するときに、ねじ山構造により外部ブッシングと内部ブッシングとの相関位置を調節できる。
【図面の簡単な説明】
【００１０】
【図１】本考案による快速固定の支持稈を示す立体外観図である。
【図２】本考案による快速固定の支持稈を示す立体分解図である。
【図３】本考案による図１に示す３-３断面線に沿った断面概略図である。
【図４】本考案による図１に示す４-４断面線に沿った断面概略図である。
【図５】本考案による快速固定の支持稈の動作を示す態様図である。
【図６】本考案による快速固定の支持稈の動作を示す態様図である。
【図７】本考案による快速固定の支持稈の使用を示す態様図である。
【考案を実施するための形態】
【００１１】
本考案による技術、手段ならびに効果は、好ましい実施例と図式を合わせて、以下の通り説明する。ただし、本考案の請求範囲はこれらの構造に制限されないことを申し上げる。
【００１２】
図１に本考案の立体外観図を示す。図において、本考案は外部ブッシング１０、内部ブッシング２０、連結装置３０、快速締付装置４０と、調整リング５０とを含める。
【００１３】
図２ないし４に、本考案による立体分解図と断面視図を示す。図において、該外部ブッシング１０は第１端１０１と第２端１０２を有し、第１端１０１の軸方向に開口部１１を設け、第２端１０２に支持部１２を設ける。該支持部１２は底面にて支えることができる。
【００１４】
該内部ブッシング２０は該外部ブッシング１０に装入し、かつ相関的な軸方向移動関係を形成する。該内部ブッシング２０は第１端２０１と第２端２０２を有し、第１端２０１を該外部ブッシング１０の開口部１１に通し、第２端２０２は支持部２１を設け、該内部ブッシング２０の支持部２１は天面にて支えることができる。
【００１５】
該連結装置３０は台座３１と締付リング３２を含め、該台座３１の一端に結合端３１１を有し、該結合端３１１は外部ブッシング１０の開口部１１に通し、かつ結合端３１１は外部ブッシング１０と内部ブッシング２０との間に設ける。台座３１は結合端３１１の反対端外縁部に雄ねじ山部３１２を有し、該雄ねじ山部３１２の外径は結合端３１１の外径より大きく設けることにより、台座３１は外部ブッシング１０の開口部１１に係止められ、該台座３１の結合端３１１の反対端の周縁には、縦方向に２つの案内溝３１３を設ける。そのうち、該台座３１は該外部ブッシング１０と一体化に成形してもよい。
【００１６】
該締付リング３２一端の外縁部に２つの嵌め込み部３２１を設け、他端に収容溝３２２を設ける。該嵌め込み部３２１と該収容溝３２２の間に固定溝３２３を形成する。２つの嵌め込み部３２１は台座３１上の２つの案内溝３１３に対応し、締付リング３２の嵌め込み部３２１を縦方向より該台座３１の案内溝３１３に嵌め込むことにより、締付リング３２は外部ブッシング１０に対して旋転されない。該収容溝３２２に該快速締付装置４０を取り付ける。該締付リング３２の一部を切断し縦方向に延ばした切欠き３２４を形成し、かつ該締付リング３２は弾性に締め付けと緩めができる。該快速締付装置４０は選択により該締付リング３２を締め付けることにより、外部ブッシング１０と内部ブッシング２０に固定と伸縮形態を形成し、外部ブッシング１０と内部ブッシング２０の追随移動を制限する。
【００１７】
該快速締付装置４０は、該締付リング３２の収容溝３２２に設けて、該快速締付装置４０の操作により、該締付リング３２を締め付けまたは緩めることができる。快速締付装置４０によって締付リング３２を締め付けたとき、締付リング３２は内部ブッシング２０の外縁部を締め付けて、内部ブッシング２０は締付リング３２に対して移動しない。一方、快速締付装置４０が締付リング３２を緩めると、該快速締付装置４０と内部ブッシング２０は外縁部と切り離され、内部ブッシング２０は締付リング３２に対して移動し始める。該快速締付装置４０は快速取り外し機構であってもよい。選択により外部ブッシング１０と内部ブッシング２０の追随移動を素早く制限できる。
【００１８】
該調整リング５０は軸方向において、外部ブッシング１０と内部ブッシング２０の相関位置を微調整できる。該調整リング５０の内縁部は雌ねじ山部５１を有し、該調整リング５０の雌ねじ山部５１は台座３１の雄ねじ山部３１２にねじ込み、調整リング５０と台座３１の追随移動を調整できるため、調整リング５０と台座３１はねじ山機構により、外部ブッシング１０と内部ブッシング２０の追随移動を微調整できる。該調整リング５０は外部ブッシング１０反対端の内縁部に突起部５２を設け、該調整リング５０の突起部５２を締付リング３２の固定溝３２３に嵌めこみ、調整リング５０を操作することにより、台座３１との相関位置を調整して、調整リング５０は締付リング３２と連動し始める。
【００１９】
図５、６に、本考案による作動態様図を参照する。該快速締付装置４０は該外部ブッシング１０と内部ブッシング２０の追随移動を素早く制限できる。該快速締付装置４０は快速取り外し機構であり、締付リング３２を素早く締め付けるかまたは緩めることができる。
【００２０】
快速締付装置４０により締付リング３２を緩めて、緩め状態になったとき、内部ブッシング２０は外部ブッシング１０との相関位置を操作できる。一方、締付リング３２を台座３１に嵌め込み、締付リング３２と内部ブッシング２０が緩め状態のとき、調整リング５０を回しても、調整リング５０は外部ブッシング１０と内部ブッシング２０を追随して移動することができない。
【００２１】
そして、快速締付装置４０により、締付リング３２を締め付け、固定状態になったとき、内部ブッシング２０は外部ブッシング１０との相関位置を操作できない。このとき、締付リング３２は台座３１に嵌め込むと同時に、締付リング３２により内部ブッシング１０を締め付けて、固定状態となる。よって、このときに調整リング５０を回すと、調整リング５０は外部ブッシング１０と内部ブッシング２０との追随移動を連動できる。
【００２２】
図７を合わせて参照する。本発明による支持稈を使用するときは、快速締付装置４０を緩めて、締付リング３２を緩め状態にしておくと、無段階により外部ブッシング１０と内部ブッシング２０の相関位置を調節できる。外部ブッシング１０と内部ブッシング２０の支持部１２、２１が底面６０と天面７０をそれぞれ支えた後に、快速締付装置４０を締め付けて固定状態にする。このとき、２つの支持部１２、２１はまだ安定して底面６０と天面７０を支えていないため、最後に調整リング５０を回して、外部ブッシング１０と内部ブッシング２０の支持部１２、２１を底面６０と天面７０に圧迫することにより、支持稈は安定して底面６０と天面７０を支えることができる。このように、本考案による快速締付装置４０と調整リング５０によって、高速、かつ無段階にて、支持稈が底面６０と天面７０を支えることができる。
【符号の説明】
【００２３】
１０        外部ブッシング
１０１      第１端
１０２      第２端
１１        開口部
１２        支持部
２０        内部ブッシング
２０１      第１端
２０２      第２端
２１        支持部
３０        連結装置
３１        台座
３１１      結合端
３１２      雄ねじ山部
３１３      案内溝
３２        留めくぎ
３２１      嵌め込み部
３２２      収容溝
３２３      固定溝
３２４      切欠き
４０        快速締付装置
５０        調整リング
５１        雌ねじ山部
５２        突起部
６０        底面
７０        天面
【図１】
0003149714.tif 000003
【図２】
0003149714.tif 000004
【図３】
0003149714.tif 000005
【図４】
0003149714.tif 000006
【図５】
0003149714.tif 000007
【図６】
0003149714.tif 000008
【図７】
0003149714.tif 000009